(57)【特許請求の範囲】
【請求項１】
載置面に載置される台と、
この台に設けられ、平面視、前記台の外形形状より小さい小台と、
この小台に立設するように設けられた長手方向に長い一つの支持部材と、
下部側が開放された開口部を有し、表面に少なくとも、名前が表示された扁平袋状の表示体とを備え、
前記開口部を介して前記表示体を前記支持部材に被せると共に、前記表示体の下端を前記小台に当接して前記表示体を立設する
ことを特徴とする祝いに飾る名前旗の取り付け方法。
【請求項２】
載置面に載置される台と、
この台に設けられ、平面視、前記台の外形形状より小さい小台と、
この小台に立設するように設けられた長手方向に長い一つの支持部材と、
下部側が開放された開口部を有し、表面に少なくとも、名前が表示された扁平袋状の表示体とを備え、
前記開口部を介して前記表示体を前記支持部材に被せると共に、前記表示体の下端を前記小台に当接して前記表示体を立設する
ことを特徴とする祝いに飾る名前旗。
【発明の詳細な説明】
【技術分野】
【０００１】
本発明は、祝いに飾る名前旗の取り付け方法及び祝いに飾る名前旗に係り、特に、吊り下げ紐を必要とせず、しかも、表示体の上端より支持部材が突出しないようにして垂直方向をコンパクトにし、更に、設置が容易な祝いに飾る名前旗の取り付け方法及び祝いに飾る名前旗に関する。
【背景技術】
【０００２】
従来、例えば、節句等の祝いに飾る旗として、「名前旗」と称されるものがある（特許文献１参照）。
上記特許文献１記載のものは、載置面に載置される台と、この台に立設するように設けられた支持部材と、名前が表示された表示体とを備え、支持部材の頂面に係止溝を設け、この係止溝に表示体に設けられた吊り下げ紐を係止させている。
【先行技術文献】
【特許文献】
【０００３】
【特許文献１】実用新案登録第３１８７０８８号公報
【発明の概要】
【発明が解決しようとする課題】
【０００４】
ところが、上記特許文献１記載のものにあっては、係止溝に表示体に設けられた吊り下げ紐を係止させねばならず、しかも、名前旗の正面が正確に位置するためには、係止溝を台に平行にしなければならず、更に、名前旗の上端より支持部材が突出する分、垂直方向に大きくなるという問題点が生じた。
【０００５】
本発明は、上記の問題点を考慮してなされた祝いに飾る名前旗の取り付け方法及び祝いに飾る名前旗を提供することを目的とする。
【課題を解決するための手段】
【０００６】
請求項１記載の祝いに飾る名前旗の取り付け方法は、載置面に載置される台と、
この台に設けられ、平面視、前記台の外形形状より小さい小台と、この小台に立設するように設けられた長手方向に長い一つの支持部材と、下部側が開放された開口部を有し、表面に少なくとも、名前が表示された扁平袋状の表示体とを備え、前記開口部を介して前記表示体を前記支持部材に被せると共に、前記表示体の下端を前記小台に当接して前記表示体を立設するものである。
【０００８】
また、請求項２記載の祝いに飾る名前旗は、載置面に載置される台と、この台に設けられ、平面視、前記台の外形形状より小さい小台と、この小台に立設するように設けられた長手方向に長い一つの支持部材と、下部側が開放された開口部を有し、表面に少なくとも、名前が表示された扁平袋状の表示体とを備え、前記開口部を介して前記表示体を前記支持部材に被せると共に、前記表示体の下端を前記小台に当接して前記表示体を立設するするものである。
【発明の効果】
【００１６】
請求項１記載の祝いに飾る名前旗の取り付け方法によれば、従来のような吊り下げ紐を必要とせず設置することができ、しかも、表示体の上端より支持部材が突出しないため、垂直方向をコンパクトにして設置することができ、更に、扁平袋状の表示体の下部側が開放された開口部を介して支持部材に扁平袋状の表示体を被せれば、扁平袋状の表示体が倒れるのを防いで立設するため、扁平袋状の表示体を容易に設置することができ、加えて、表示体の下端を小台に当接したため、扁平袋状の表示体を台に安定して取り付けることができ、更に、扁平袋状の表示体の下端と台との間に小台の厚み分、隙間ができ、見栄えも良好となる。
【００２０】
また、請求項２記載の祝いに飾る名前旗によれば、表示体の下端を台又は小台に当接したため、扁平袋状の表示体を台又は小台に安定して取り付けることができ、表示体の下端を小台に当接して前記表示体を立設する場合にあっては、扁平袋状の表示体の下端と台との間に小台の厚み分、隙間ができ、見栄えも良好となる。
【図面の簡単な説明】
【００２２】
【図１】図１は、本発明の一実施例の祝いに飾る名前旗の表示体の下端を小台に当接して前記表示体を立設した状態の写真である。
【図２】図２は、図１の一部を拡大した写真である。
【図３】図３は、図１の名前旗を裏面側から見た写真である。
【図４】図４は、図１の名前旗を分解した状態の写真である。
【図５】図５は、図４の一部である台を拡大した写真である。
【図６】図６は、図１の一部である表示体の下部側の開口部を開いた状態の写真である。
【図７】図７は、図１の祝いに飾る名前旗の表示体の下端を台に当接して前記表示体を立設した状態の写真である。
【図８】図８は、図７の一部を拡大した写真である。
【図９】図９は、図１の祝いに飾る名前旗の表示体の下端を台から離間して前記表示体を立設した状態の写真である。
【発明を実施するための形態】
【００２３】
本発明の一実施例の祝いに飾る名前旗の取り付け方法及び祝いに飾る名前旗を図面（図１乃至図９）を参照して説明する。
図１に示すＦは節句等の祝いに飾る旗である祝いに飾る名前旗で、祝いに飾る名前旗Ｆは、床、畳等の載置面１０に載置される台１と、この台１に立設するように設けられた支持部材２と、下部側が開放された開口部３ａ（図６参照）を有し、表面に少なくとも、名前が表示された扁平袋状の表示体３とを備えている。
【００２４】
台１は、例えば、図４に示すように、平面視、四角形状をなし、台１の上面には、平面視、台１の外形形状より小さい小台１１が設けられている。小台１１の中央には、穴１１ａ（図５参照）が設けられている。
【００２５】
支持部材２は、例えば、棒状部材で、支持部材２の下端が穴１１ａに係止して、支持部材２が台１に立設するようになっている。
【００２６】
扁平袋状の表示体３の正面には、図１及び図２に示すように、家紋、名前（例えば、「悠真」」）、虎（十二支の一つである「虎」）の図柄が、扁平袋状の表示体３の裏面には、図３に示すように、図柄、送り主によるメッセージ（例えば、「元気に  すくすく  育ってね」、「ニコニコ笑顔  ありがとう」等）が、それぞれ表示されている。
扁平袋状の表示体３は、支持部材２に被せて取り付けられるため、支持部材２が一種の障害とならず、つまり、支持部材２に邪魔されることなく表示体３の正面の名前、表示体３の裏面のメッセージを見ることができる（図１及び図３参照）。
なお、従来の特許文献１記載のものにあっては、支柱（特許文献１記載の符号３参照）が一種の障害となり、表示体（特許文献１記載の符号２参照）の裏面に、例えば、本願発明のような図柄、送り主によるメッセージ等を表示した場合、見にくいものとなる。
【００２７】
名前旗Ｆは、開口部３ａを介して表示体３を支持部材２に被せて、表示体３を立設して取り付けるようにする（図１、図３、図７、図９参照）。
上述の名前旗の取り付け方法（又は、名前旗Ｆ）によれば、従来のような吊り下げ紐（特許文献１の吊り下げ紐２ａ）を必要とせず設置することができ、しかも、表示体３の上端より支持部材２が突出しないため、垂直方向をコンパクトにして設置することができ、更に、扁平袋状の表示体３の下部側が開放された開口部３ａを介して支持部材２に扁平袋状の表示体３を被せれば、扁平袋状の表示体３が倒れるのを防いで立設するため、扁平袋状の表示体３を容易に設置することができる。
【００２８】
また、図９に示すように、名前旗Ｆの表示体３の下端を台１又は小台１１から離間して表示体３を立設しても良く、また、図７及び図８に示すように、表示体３の下端を台１に当接して扁平袋状の表示体３を台１に安定して取り付けるようにしても良い。
また、図１乃至図３に示すように、表示体３の下端を小台１１に当接して扁平袋状の表示体３を小台１１に安定して取り付けるようにしても良い。この場合、扁平袋状の表示体３の下端と台１との間に小台１１の厚み分、隙間ができ、見栄えも良好となる。
【符号の説明】
【００２９】
Ｆ      名前旗
１      台
２      支持部材
３      表示体
３ａ    開口部
１０    載置面
【図１】
0006384814.tif 000002
【図２】
0006384814.tif 000003
【図３】
0006384814.tif 000004
【図４】
0006384814.tif 000005
【図５】
0006384814.tif 000006
【図６】
0006384814.tif 000007
【図７】
0006384814.tif 000008
【図８】
0006384814.tif 000009
【図９】
0006384814.tif 000010